(57)【要約】【課題】画像データに従い記録媒体上に形成された画像が正しく形成されたか否かを、当該画像を所定方向に順次読み取ることにより生成された画像データを用いて検査する装置において、読み取り時に生じた異常による誤判定を低減する手段を提供する。【解決手段】生成部２１５は、画像形成装置による画像形成に用いられた第１の画像データと、画像形成装置により形成された画像を画像読取装置が読み取って生成した第２の画像データとを比較し、第２の画像データが示す画像のうち誤りの領域を示す誤領域指定データを生成する。修正部２１６は、誤領域指定データが示す誤りの領域のうち、一定の幅で読み取り方向に延伸する帯領域を、センサの異常による領域として特定する。【選択図】図６
2009081665.tif 000002
【特許請求の範囲】
【請求項１】
第１の画像データと、画像形成装置により前記第１の画像データに従い記録媒体上に形成された画像を所定方向に順次読み取ることにより生成された第２の画像データとを取得する取得手段と、
前記第１の画像データが示す画像と前記第２の画像データが示す画像との間で濃度の差が所定値以上である領域を誤りの領域として示す誤領域指定データを生成する生成手段と、
前記生成手段により生成された誤領域指定データが一定の幅で前記所定方向に延伸する帯領域を示す場合、当該帯領域を誤りの領域から除外するように前記誤領域指定データを修正する修正手段と
を備えるデータ処理装置。
【請求項２】
記録媒体上に画像を形成する画像形成手段と、
第１の画像データと、前記画像形成手段により前記第１の画像データに従い記録媒体上に形成された画像を所定方向に順次読み取ることにより生成された第２の画像データとを取得する取得手段と、
前記第１の画像データが示す画像と前記第２の画像データが示す画像との間で濃度の差が所定値以上である領域を誤りの領域として示す誤領域指定データを生成する生成手段と、
前記生成手段により生成された誤領域指定データが一定の幅で前記所定方向に延伸する帯領域を示す場合、当該帯領域を誤りの領域から除外するように前記誤領域指定データを修正する修正手段と
を備える画像形成装置。
【請求項３】
記録媒体上に画像を形成する画像形成装置と、
記録媒体上に形成された画像を所定方向に順次読み取って画像データを生成する画像データ生成装置と、
データ処理装置と
を備え、
前記データ処理装置は、
第１の画像データと、前記画像形成装置が前記第１の画像データに従い記録媒体上に形成した画像を前記画像データ生成装置が読み取って生成した第２の画像データとを取得する取得手段と、
前記第１の画像データが示す画像と前記第２の画像データが示す画像との間で濃度の差が所定値以上である領域を誤りの領域として示す誤領域指定データを生成する生成手段と、
前記生成手段により生成された誤領域指定データが一定の幅で前記所定方向に延伸する帯領域を示す場合、当該帯領域を誤りの領域から除外するように前記誤領域指定データを修正する修正手段とを備えるデータ処理装置と
を備えるシステム。
【請求項４】
第１の画像データと、画像形成装置により前記第１の画像データに従い記録媒体上に形成された画像を所定方向に順次読み取ることにより生成された第２の画像データとを取得する処理と、
前記第１の画像データが示す画像と前記第２の画像データが示す画像との間で濃度の差が所定値以上である領域を誤りの領域として示す誤領域指定データを生成する処理と、
生成した前記誤領域指定データが一定の幅で前記所定方向に延伸する帯領域を示す場合、当該帯領域を誤りの領域から除外するように前記誤領域指定データを修正する処理と
をコンピュータに実行させるプログラム。
【請求項５】
第１の画像データを取得する取得手段と、
センサを有し、画像形成装置により前記第１の画像データに従い記録媒体上に形成された画像を前記センサを用いて所定方向に順次読み取って第２の画像データを生成する画像データ生成手段と、
前記第１の画像データが示す画像と前記第２の画像データが示す画像との間で濃度の差が所定値以上である領域を誤りの領域として示す誤領域指定データを生成する誤領域指定データ生成手段と、
前記誤領域指定データ生成手段により生成された誤領域指定データが一定の幅で前記所定方向に延伸する帯領域を示す場合、前記第２の画像データのうち当該帯領域に対応するデータの生成に用いられた前記センサの部分に異常があると判定する判定手段と
を備えるデータ処理装置。
【請求項６】
第１の画像データを取得する取得手段と、
第１のセンサおよび第２のセンサを有し、画像形成装置により前記第１の画像データに従い記録媒体上に形成された画像を前記第１のセンサを用いて所定方向に順次読み取って第２の画像データを生成し、前記形成された画像を前記第２のセンサを用いて前記所定方向に順次読み取って第３の画像データを生成する画像データ生成手段と、
前記第１の画像データが示す画像と前記第２の画像データが示す画像との間で濃度の差が所定値以上である領域を第１の誤りの領域として示す第１の誤領域指定データを生成し、前記第１の画像データが示す画像と前記第３の画像データが示す画像との間で濃度の差が所定値以上である領域を第２の誤りの領域として示す第２の誤領域指定データを生成する誤領域指定データ生成手段と、
前記第１の誤りの領域のうち前記第２の誤りの領域に含まれない領域を前記第１の誤りの領域から除外するように前記第１の誤領域指定データを修正する修正手段と
を備えるデータ処理装置。
【請求項７】
記録媒体上に画像を形成する画像形成手段と、
第１の画像データを取得する取得手段と、
第１のセンサおよび第２のセンサを有し、前記画像形成手段により前記第１の画像データに従い記録媒体上に形成された画像を前記第１のセンサを用いて所定方向に順次読み取って第２の画像データを生成し、前記形成された画像を前記第２のセンサを用いて前記所定方向に順次読み取って第３の画像データを生成する画像データ生成手段と、
前記第１の画像データが示す画像と前記第２の画像データが示す画像との間で濃度の差が所定値以上である領域を第１の誤りの領域として示す第１の誤領域指定データを生成し、前記第１の画像データが示す画像と前記第３の画像データが示す画像との間で濃度の差が所定値以上である領域を第２の誤りの領域として示す第２の誤領域指定データを生成する誤領域指定データ生成手段と、
前記第１の誤りの領域のうち前記第２の誤りの領域に含まれない領域を前記第１の誤りの領域から除外するように前記第１の誤領域指定データを修正する修正手段と
を備える画像形成装置。
【請求項８】
記録媒体上に画像を形成する画像形成装置と、
第１のセンサおよび第２のセンサを有し、記録媒体上に形成された画像を前記第１のセンサを用いて所定方向に順次読み取って一の画像データを生成し、前記形成された画像を前記第２のセンサを用いて前記所定方向に順次読み取って他の画像データを生成する画像データ生成装置と、
データ処理装置と
を備え、
前記データ処理装置は、
第１の画像データと、前記画像形成装置が前記第１の画像データに従い記録媒体上に形成した画像を前記画像データ生成装置が前記第１のセンサを用いて読み取って生成した第２の画像データと、前記画像形成装置が前記第１の画像データに従い記録媒体上に形成した前記画像を前記画像データ生成装置が前記第２のセンサを用いて読み取って生成した第３の画像データとを取得する取得手段と、
前記第１の画像データが示す画像と前記第２の画像データが示す画像との間で濃度の差が所定値以上である領域を第１の誤りの領域として示す第１の誤領域指定データを生成し、前記第１の画像データが示す画像と前記第３の画像データが示す画像との間で濃度の差が所定値以上である領域を第２の誤りの領域として示す第２の誤領域指定データを生成する生成手段と、
前記第１の誤りの領域のうち前記第２の誤りの領域に含まれない領域を前記第１の誤りの領域から除外するように前記第１の誤領域指定データを修正する修正手段と
を備えるシステム。
【請求項９】
第１の画像データと、第１のセンサおよび第２のセンサを有する画像データ生成装置が画像形成装置により前記第１の画像データに従い記録媒体上に形成された画像を前記第１のセンサを用いて所定方向に順次読み取ることにより生成した第２の画像データと、前記画像データ生成装置が前記画像形成装置により前記第１の画像データに従い記録媒体上に形成された前記画像を前記第２のセンサを用いて前記所定方向に順次読み取ることにより生成した第３の画像データとを取得する処理と、
前記第１の画像データが示す画像と前記第２の画像データが示す画像との間で濃度の差が所定値以上である領域を第１の誤りの領域として示す第１の誤領域指定データを生成し、前記第１の画像データが示す画像と前記第３の画像データが示す画像との間で濃度の差が所定値以上である領域を第２の誤りの領域として示す第２の誤領域指定データを生成する処理と、
前記第１の誤りの領域のうち前記第２の誤りの領域に含まれない領域を前記第１の誤りの領域から除外するように前記第１の誤領域指定データを修正する処理と
をコンピュータに実行させるプログラム。
【請求項１０】
第１の画像データを取得する取得手段と、
第１のセンサおよび第２のセンサを有し、画像形成装置により前記第１の画像データに従い記録媒体上に形成された画像を前記第１のセンサを用いて所定方向に順次読み取って第２の画像データを生成し、前記画像形成装置により前記第１の画像データに従い記録媒体上に形成された前記画像を前記第２のセンサを用いて前記所定方向に順次読み取って第３の画像データを生成する画像データ生成手段と、
前記第１の画像データが示す画像と前記第２の画像データが示す画像との間で濃度の差が所定値以上である領域を第１の誤りの領域として示す第１の誤領域指定データを生成し、前記第１の画像データが示す画像と前記第３の画像データが示す画像との間で濃度の差が所定値以上である領域を第２の誤りの領域として示す第２の誤領域指定データを生成する誤領域指定データ生成手段と、
前記第２の画像データのうち、前記第１の誤りの領域のうち前記第２の誤りの領域に含まれない領域に対応するデータの生成に用いられた前記センサの部分に異常があると判定する判定手段と
を備えるデータ処理装置。
【請求項１１】
第１の画像データを取得する取得手段と、
センサを有し、画像形成装置により前記第１の画像データに従い記録媒体上に形成された画像を前記センサを用いて所定方向に順次読み取って第２の画像データを生成する画像データ生成手段と、
前記第１の画像データが示す画像と前記第２の画像データが示す画像との間で濃度の差が所定値以上である領域を誤りの領域として示す誤領域指定データを生成する誤領域指定データ生成手段と、
前記センサと、前記画像データ生成手段が読み取る画像の形成された記録媒体との間の相対的な位置関係を、前記所定方向を横切る方向に関し変更する変更手段と、
前記第２の画像データのうち前記変更手段による前記変更の前に前記画像データ生成手段により生成された画像データに関し前記誤領域指定データ生成手段により生成された誤領域指定データが一定の幅で前記所定方向に延伸する第１の帯領域を示し、前記第２の画像データのうち前記変更手段による前記変更の後に前記画像データ生成手段により生成された画像データに関し前記誤領域指定データ生成手段により生成された誤領域指定データが前記一定の幅で前記所定方向に延伸する第２の帯領域を示し、前記所定方向を横切る方向に関して、前記第１の帯領域と前記第２の帯領域との相対的な位置関係と、前記記録媒体の位置を基準とした場合の前記変更の前における前記センサと前記変更の後における前記センサとの相対的な位置関係とが、方向において一致し、距離において所定値以下の差である場合、前記第１の帯領域および前記第２の帯領域を誤りの領域から除外するように前記誤領域指定データを修正する修正手段と
を備えるデータ処理装置。
【請求項１２】
記録媒体上に画像を形成する画像形成手段と、
第１の画像データを取得する取得手段と、
センサを有し、前記画像形成手段により前記第１の画像データに従い記録媒体上に形成された画像を前記センサを用いて所定方向に順次読み取って第２の画像データを生成する画像データ生成手段と、
前記第１の画像データが示す画像と前記第２の画像データが示す画像との間で濃度の差が所定値以上である領域を誤りの領域として示す誤領域指定データを生成する誤領域指定データ生成手段と、
前記センサと、前記画像データ生成手段が読み取る画像の形成された記録媒体との間の相対的な位置関係を、前記所定方向を横切る方向に関し変更する変更手段と、
前記第２の画像データのうち前記変更手段による前記変更の前に前記画像データ生成手段により生成された画像データに関し前記誤領域指定データ生成手段により生成された誤領域指定データが一定の幅で前記所定方向に延伸する第１の帯領域を示し、前記第２の画像データのうち前記変更手段による前記変更の後に前記画像データ生成手段により生成された画像データに関し前記誤領域指定データ生成手段により生成された誤領域指定データが前記一定の幅で前記所定方向に延伸する第２の帯領域を示し、前記所定方向を横切る方向に関して、前記第１の帯領域と前記第２の帯領域との相対的な位置関係と、前記記録媒体の位置を基準とした場合の前記変更の前における前記センサと前記変更の後における前記センサとの相対的な位置関係とが、方向において一致し、距離において所定値以下の差である場合、前記第１の帯領域および前記第２の帯領域を誤りの領域から除外するように前記誤領域指定データを修正する修正手段と
を備える画像形成装置。
【請求項１３】
記録媒体上に画像を形成する画像形成装置と、
センサと、記録媒体上に形成された画像を前記センサを用いて所定方向に順次読み取って画像データを生成する画像データ生成手段と、前記センサと前記画像データ生成手段が読み取る画像の形成された記録媒体との間の相対的な位置関係を前記所定方向を横切る方向に関し変更する変更手段とを備える画像データ生成装置と、
データ処理装置と
を備え、
前記データ処理装置は、
第１の画像データと、前記画像形成装置が前記第１の画像データに従い記録媒体上に形成した画像を前記画像データ生成装置が前記変更手段による前記変更の前後の各々において生成した画像データを含む第２の画像データとを取得する取得手段と、
前記第１の画像データが示す画像と前記第２の画像データが示す画像との間で濃度の差が所定値以上である領域を誤りの領域として示す誤領域指定データを生成する誤領域指定データ生成手段と、
前記第２の画像データのうち前記画像形成装置が前記変更手段による前記変更の前に生成した画像データに関し前記誤領域指定データ生成手段により生成された誤領域指定データが一定の幅で前記所定方向に延伸する第１の帯領域を示し、前記第２の画像データのうち前記画像形成装置が前記変更手段による前記変更の後に生成した画像データに関し前記誤領域指定データ生成手段により生成された誤領域指定データが前記一定の幅で前記所定方向に延伸する第２の帯領域を示し、前記所定方向を横切る方向に関して、前記第１の帯領域と前記第２の帯領域との相対的な位置関係と、前記記録媒体の位置を基準とした場合の前記変更の前における前記センサと前記変更の後における前記センサとの相対的な位置関係とが、方向において一致し、距離において所定値以下の差である場合、前記第１の帯領域および前記第２の帯領域を誤りの領域から除外するように前記誤領域指定データを修正する修正手段と
を備えるシステム。
【請求項１４】
第１の画像データを取得する処理と、
センサ、記録媒体上に形成された画像を前記センサを用いて所定方向に順次読み取って画像データを生成する画像データ生成手段、および前記センサと前記画像データ生成手段が読み取る画像の形成された記録媒体との間の相対的な位置関係を前記所定方向を横切る方向に関し変更する変更手段を備える画像データ生成装置が、画像形成装置により前記第１の画像データに従い記録媒体上に形成された画像を前記変更手段による前記変更の前後の各々において前記画像データ生成手段により生成した画像データを含む第２の画像データを取得する処理と、
前記第１の画像データが示す画像と前記第２の画像データが示す画像との間で濃度の差が所定値以上である領域を誤りの領域として示す誤領域指定データを生成する処理と、
前記第２の画像データのうち前記画像形成装置が前記変更手段による前記変更の前に生成した画像データに関し生成した誤領域指定データが一定の幅で前記所定方向に延伸する第１の帯領域を示し、前記第２の画像データのうち前記画像形成装置が前記変更手段による前記変更の後に生成した画像データに関し生成した誤領域指定データが前記一定の幅で前記所定方向に延伸する第２の帯領域を示し、前記所定方向を横切る方向に関して、前記第１の帯領域と前記第２の帯領域との相対的な位置関係と、前記記録媒体の位置を基準とした場合の前記変更の前における前記センサと前記変更の後における前記センサとの相対的な位置関係とが、方向において一致し、距離において所定値以下の差である場合、前記第１の帯領域および前記第２の帯領域を誤りの領域から除外するように前記誤領域指定データを修正する処理と
をコンピュータに実行させるプログラム。
【請求項１５】
第１の画像データを取得する取得手段と、
センサを有し、画像形成装置により前記第１の画像データに従い記録媒体上に形成された画像を前記センサを用いて所定方向に順次読み取って第２の画像データを生成する画像データ生成手段と、
前記第１の画像データが示す画像と前記第２の画像データが示す画像との間で濃度の差が所定値以上である領域を誤りの領域としてを示す誤領域指定データを生成する誤領域指定データ生成手段と、
前記センサと、前記画像データ生成手段が読み取る画像の形成された記録媒体との間の相対的な位置関係を、前記所定方向を横切る方向に関し変更する変更手段と、
前記第２の画像データのうち前記変更手段による前記変更の前に前記画像データ生成手段により生成された画像データに関し前記誤領域指定データ生成手段により生成された誤領域指定データが一定の幅で前記所定方向に延伸する第１の帯領域を示し、前記第２の画像データのうち前記変更手段による前記変更の後に前記画像データ生成手段により生成された画像データに関し前記誤領域指定データ生成手段により生成された誤領域指定データが前記一定の幅で前記所定方向に延伸する第２の帯領域を示し、前記所定方向を横切る方向に関して、前記第１の帯領域と前記第２の帯領域との相対的な位置関係と、前記記録媒体の位置を基準とした場合の前記変更の前における前記センサと前記変更の後における前記センサとの相対的な位置関係とが、方向において一致し、距離において所定値以下の差である場合、前記第２の画像データのうち前記第１の帯領域および前記第２の帯領域に対応するデータの生成に用いられた前記センサの部分に異常があると判定する判定手段と
を備えるデータ処理装置。
【発明の詳細な説明】
【技術分野】
【０００１】
本発明は、データ処理装置、画像形成装置、システムおよびプログラムに関する。
【背景技術】
【０００２】
画像形成装置によって紙等の記録媒体上に形成された画像が正しく形成されているか否かをユーザが確認したい、というニーズがある。
【０００３】
特許文献１には、上記ニーズを満たす技術の一例として、ロール紙上に一定の間隔で連続して印刷された同一であるべき画像を、ロール紙の搬送方向に直交し、画像の間隔と同一の間隔を有する２本の平行線上の各々に列状に配置された光学センサ群を用いて読み取り、一方の光学センサ群による読み取り結果と他方の光学センサ群による読み取り結果とを照合することにより、同一であるべき隣り合う画像間に差異があるか否かを判定する技術が開示されている。
【特許文献１】実開昭６２−０２０３６３号公報
【発明の開示】
【発明が解決しようとする課題】
【０００４】
本発明の目的は、画像データに従い記録媒体上に形成された画像が正しく形成されたか否かを、当該画像を所定方向に順次読み取ることにより生成された画像データを用いて検査する装置において、読み取り時に生じた異常による誤判定を低減する手段を提供することである。
【課題を解決するための手段】
【０００５】
上述した目的を達成するために、本発明は、第１の態様として、第１の画像データと、画像形成装置により前記第１の画像データに従い記録媒体上に形成された画像を所定方向に順次読み取ることにより生成された第２の画像データとを取得する取得手段と、前記第１の画像データが示す画像と前記第２の画像データが示す画像との間で濃度の差が所定値以上である領域を誤りの領域として示す誤領域指定データを生成する生成手段と、前記生成手段により生成された誤領域指定データが一定の幅で前記所定方向に延伸する帯領域を示す場合、当該帯領域を誤りの領域から除外するように前記誤領域指定データを修正する修正手段とを備えるデータ処理装置を提供する。
【０００６】
また、本発明は、第２の態様として、記録媒体上に画像を形成する画像形成手段と、第１の画像データと、前記画像形成手段により前記第１の画像データに従い記録媒体上に形成された画像を所定方向に順次読み取ることにより生成された第２の画像データとを取得する取得手段と、前記第１の画像データが示す画像と前記第２の画像データが示す画像との間で濃度の差が所定値以上である領域を誤りの領域として示す誤領域指定データを生成する生成手段と、前記生成手段により生成された誤領域指定データが一定の幅で前記所定方向に延伸する帯領域を示す場合、当該帯領域を誤りの領域から除外するように前記誤領域指定データを修正する修正手段とを備える画像形成装置を提供する。
【０００７】
また、本発明は、第３の態様として、記録媒体上に画像を形成する画像形成装置と、記録媒体上に形成された画像を所定方向に順次読み取って画像データを生成する画像データ生成装置と、データ処理装置とを備え、前記データ処理装置は、第１の画像データと、前記画像形成装置が前記第１の画像データに従い記録媒体上に形成した画像を前記画像データ生成装置が読み取って生成した第２の画像データとを取得する取得手段と、前記第１の画像データが示す画像と前記第２の画像データが示す画像との間で濃度の差が所定値以上である領域を誤りの領域として示す誤領域指定データを生成する生成手段と、前記生成手段により生成された誤領域指定データが一定の幅で前記所定方向に延伸する帯領域を示す場合、当該帯領域を誤りの領域から除外するように前記誤領域指定データを修正する修正手段とを備えるデータ処理装置とを備えるシステムを提供する。
【０００８】
また、本発明は、第４の態様として、第１の画像データと、画像形成装置により前記第１の画像データに従い記録媒体上に形成された画像を所定方向に順次読み取ることにより生成された第２の画像データとを取得する処理と、前記第１の画像データが示す画像と前記第２の画像データが示す画像との間で濃度の差が所定値以上である領域を誤りの領域として示す誤領域指定データを生成する処理と、生成した前記誤領域指定データが一定の幅で前記所定方向に延伸する帯領域を示す場合、当該帯領域を誤りの領域から除外するように前記誤領域指定データを修正する処理とをコンピュータに実行させるプログラムを提供する。
【０００９】
また、本発明は、第５の態様として、第１の画像データを取得する取得手段と、センサを有し、画像形成装置により前記第１の画像データに従い記録媒体上に形成された画像を前記センサを用いて所定方向に順次読み取って第２の画像データを生成する画像データ生成手段と、前記第１の画像データが示す画像と前記第２の画像データが示す画像との間で濃度の差が所定値以上である領域を誤りの領域として示す誤領域指定データを生成する誤領域指定データ生成手段と、前記誤領域指定データ生成手段により生成された誤領域指定データが一定の幅で前記所定方向に延伸する帯領域を示す場合、前記第２の画像データのうち当該帯領域に対応するデータの生成に用いられた前記センサの部分に異常があると判定する判定手段とを備えるデータ処理装置を提供する。
【００１０】
また、本発明は、第６の態様として、第１の画像データを取得する取得手段と、第１のセンサおよび第２のセンサを有し、画像形成装置により前記第１の画像データに従い記録媒体上に形成された画像を前記第１のセンサを用いて所定方向に順次読み取って第２の画像データを生成し、前記形成された画像を前記第２のセンサを用いて前記所定方向に順次読み取って第３の画像データを生成する画像データ生成手段と、前記第１の画像データが示す画像と前記第２の画像データが示す画像との間で濃度の差が所定値以上である領域を第１の誤りの領域として示す第１の誤領域指定データを生成し、前記第１の画像データが示す画像と前記第３の画像データが示す画像との間で濃度の差が所定値以上である領域を第２の誤りの領域として示す第２の誤領域指定データを生成する誤領域指定データ生成手段と、前記第１の誤りの領域のうち前記第２の誤りの領域に含まれない領域を前記第１の誤りの領域から除外するように前記第１の誤領域指定データを修正する修正手段とを備えるデータ処理装置を提供する。
【００１１】
また、本発明は、第７の態様として、記録媒体上に画像を形成する画像形成手段と、第１の画像データを取得する取得手段と、第１のセンサおよび第２のセンサを有し、前記画像形成手段により前記第１の画像データに従い記録媒体上に形成された画像を前記第１のセンサを用いて所定方向に順次読み取って第２の画像データを生成し、前記形成された画像を前記第２のセンサを用いて前記所定方向に順次読み取って第３の画像データを生成する画像データ生成手段と、前記第１の画像データが示す画像と前記第２の画像データが示す画像との間で濃度の差が所定値以上である領域を第１の誤りの領域として示す第１の誤領域指定データを生成し、前記第１の画像データが示す画像と前記第３の画像データが示す画像との間で濃度の差が所定値以上である領域を第２の誤りの領域として示す第２の誤領域指定データを生成する誤領域指定データ生成手段と、前記第１の誤りの領域のうち前記第２の誤りの領域に含まれない領域を前記第１の誤りの領域から除外するように前記第１の誤領域指定データを修正する修正手段とを備える画像形成装置を提供する。
【００１２】
また、本発明は、第８の態様として、記録媒体上に画像を形成する画像形成装置と、第１のセンサおよび第２のセンサを有し、記録媒体上に形成された画像を前記第１のセンサを用いて所定方向に順次読み取って一の画像データを生成し、前記形成された画像を前記第２のセンサを用いて前記所定方向に順次読み取って他の画像データを生成する画像データ生成装置と、データ処理装置とを備え、前記データ処理装置は、第１の画像データと、前記画像形成装置が前記第１の画像データに従い記録媒体上に形成した画像を前記画像データ生成装置が前記第１のセンサを用いて読み取って生成した第２の画像データと、前記画像形成装置が前記第１の画像データに従い記録媒体上に形成した前記画像を前記画像データ生成装置が前記第２のセンサを用いて読み取って生成した第３の画像データとを取得する取得手段と、前記第１の画像データが示す画像と前記第２の画像データが示す画像との間で濃度の差が所定値以上である領域を第１の誤りの領域として示す第１の誤領域指定データを生成し、前記第１の画像データが示す画像と前記第３の画像データが示す画像との間で濃度の差が所定値以上である領域を第２の誤りの領域として示す第２の誤領域指定データを生成する生成手段と、前記第１の誤りの領域のうち前記第２の誤りの領域に含まれない領域を前記第１の誤りの領域から除外するように前記第１の誤領域指定データを修正する修正手段とを備えるシステムを提供する。
【００１３】
また、本発明は、第９の態様として、第１の画像データと、第１のセンサおよび第２のセンサを有する画像データ生成装置が画像形成装置により前記第１の画像データに従い記録媒体上に形成された画像を前記第１のセンサを用いて所定方向に順次読み取ることにより生成した第２の画像データと、前記画像データ生成装置が前記画像形成装置により前記第１の画像データに従い記録媒体上に形成された前記画像を前記第２のセンサを用いて前記所定方向に順次読み取ることにより生成した第３の画像データとを取得する処理と、前記第１の画像データが示す画像と前記第２の画像データが示す画像との間で濃度の差が所定値以上である領域を第１の誤りの領域として示す第１の誤領域指定データを生成し、前記第１の画像データが示す画像と前記第３の画像データが示す画像との間で濃度の差が所定値以上である領域を第２の誤りの領域として示す第２の誤領域指定データを生成する処理と、前記第１の誤りの領域のうち前記第２の誤りの領域に含まれない領域を前記第１の誤りの領域から除外するように前記第１の誤領域指定データを修正する処理とをコンピュータに実行させるプログラムを提供する。
【００１４】
また、本発明は、第１０の態様として、第１の画像データを取得する取得手段と、第１のセンサおよび第２のセンサを有し、画像形成装置により前記第１の画像データに従い記録媒体上に形成された画像を前記第１のセンサを用いて所定方向に順次読み取って第２の画像データを生成し、前記画像形成装置により前記第１の画像データに従い記録媒体上に形成された前記画像を前記第２のセンサを用いて前記所定方向に順次読み取って第３の画像データを生成する画像データ生成手段と、前記第１の画像データが示す画像と前記第２の画像データが示す画像との間で濃度の差が所定値以上である領域を第１の誤りの領域として示す第１の誤領域指定データを生成し、前記第１の画像データが示す画像と前記第３の画像データが示す画像との間で濃度の差が所定値以上である領域を第２の誤りの領域として示す第２の誤領域指定データを生成する誤領域指定データ生成手段と、前記第２の画像データのうち、前記第１の誤りの領域のうち前記第２の誤りの領域に含まれない領域に対応するデータの生成に用いられた前記センサの部分に異常があると判定する判定手段とを備えるデータ処理装置を提供する。
【００１５】
また、本発明は、第１１の態様として、第１の画像データを取得する取得手段と、センサを有し、画像形成装置により前記第１の画像データに従い記録媒体上に形成された画像を前記センサを用いて所定方向に順次読み取って第２の画像データを生成する画像データ生成手段と、前記第１の画像データが示す画像と前記第２の画像データが示す画像との間で濃度の差が所定値以上である領域を誤りの領域として示す誤領域指定データを生成する誤領域指定データ生成手段と、前記センサと、前記画像データ生成手段が読み取る画像の形成された記録媒体との間の相対的な位置関係を、前記所定方向を横切る方向に関し変更する変更手段と、前記第２の画像データのうち前記変更手段による前記変更の前に前記画像データ生成手段により生成された画像データに関し前記誤領域指定データ生成手段により生成された誤領域指定データが一定の幅で前記所定方向に延伸する第１の帯領域を示し、前記第２の画像データのうち前記変更手段による前記変更の後に前記画像データ生成手段により生成された画像データに関し前記誤領域指定データ生成手段により生成された誤領域指定データが前記一定の幅で前記所定方向に延伸する第２の帯領域を示し、前記所定方向を横切る方向に関して、前記第１の帯領域と前記第２の帯領域との相対的な位置関係と、前記記録媒体の位置を基準とした場合の前記変更の前における前記センサと前記変更の後における前記センサとの相対的な位置関係とが、方向において一致し、距離において所定値以下の差である場合、前記第１の帯領域および前記第２の帯領域を誤りの領域から除外するように前記誤領域指定データを修正する修正手段とを備えるデータ処理装置を提供する。
【００１６】
また、本発明は、第１２の態様として、記録媒体上に画像を形成する画像形成手段と、第１の画像データを取得する取得手段と、センサを有し、前記画像形成手段により前記第１の画像データに従い記録媒体上に形成された画像を前記センサを用いて所定方向に順次読み取って第２の画像データを生成する画像データ生成手段と、前記第１の画像データが示す画像と前記第２の画像データが示す画像との間で濃度の差が所定値以上である領域を誤りの領域として示す誤領域指定データを生成する誤領域指定データ生成手段と、前記センサと、前記画像データ生成手段が読み取る画像の形成された記録媒体との間の相対的な位置関係を、前記所定方向を横切る方向に関し変更する変更手段と、前記第２の画像データのうち前記変更手段による前記変更の前に前記画像データ生成手段により生成された画像データに関し前記誤領域指定データ生成手段により生成された誤領域指定データが一定の幅で前記所定方向に延伸する第１の帯領域を示し、前記第２の画像データのうち前記変更手段による前記変更の後に前記画像データ生成手段により生成された画像データに関し前記誤領域指定データ生成手段により生成された誤領域指定データが前記一定の幅で前記所定方向に延伸する第２の帯領域を示し、前記所定方向を横切る方向に関して、前記第１の帯領域と前記第２の帯領域との相対的な位置関係と、前記記録媒体の位置を基準とした場合の前記変更の前における前記センサと前記変更の後における前記センサとの相対的な位置関係とが、方向において一致し、距離において所定値以下の差である場合、前記第１の帯領域および前記第２の帯領域を誤りの領域から除外するように前記誤領域指定データを修正する修正手段とを備える画像形成装置を提供する。
【００１７】
また、本発明は、第１３の態様として、記録媒体上に画像を形成する画像形成装置と、センサと、記録媒体上に形成された画像を前記センサを用いて所定方向に順次読み取って画像データを生成する画像データ生成手段と、前記センサと前記画像データ生成手段が読み取る画像の形成された記録媒体との間の相対的な位置関係を前記所定方向を横切る方向に関し変更する変更手段とを備える画像データ生成装置と、データ処理装置とを備え、前記データ処理装置は、第１の画像データと、前記画像形成装置が前記第１の画像データに従い記録媒体上に形成した画像を前記画像データ生成装置が前記変更手段による前記変更の前後の各々において生成した画像データを含む第２の画像データとを取得する取得手段と、前記第１の画像データが示す画像と前記第２の画像データが示す画像との間で濃度の差が所定値以上である領域を誤りの領域として示す誤領域指定データを生成する誤領域指定データ生成手段と、前記第２の画像データのうち前記画像形成装置が前記変更手段による前記変更の前に生成した画像データに関し前記誤領域指定データ生成手段により生成された誤領域指定データが一定の幅で前記所定方向に延伸する第１の帯領域を示し、前記第２の画像データのうち前記画像形成装置が前記変更手段による前記変更の後に生成した画像データに関し前記誤領域指定データ生成手段により生成された誤領域指定データが前記一定の幅で前記所定方向に延伸する第２の帯領域を示し、前記所定方向を横切る方向に関して、前記第１の帯領域と前記第２の帯領域との相対的な位置関係と、前記記録媒体の位置を基準とした場合の前記変更の前における前記センサと前記変更の後における前記センサとの相対的な位置関係とが、方向において一致し、距離において所定値以下の差である場合、前記第１の帯領域および前記第２の帯領域を誤りの領域から除外するように前記誤領域指定データを修正する修正手段とを備えるシステムを提供する。
【００１８】
また、本発明は、第１４の態様として、第１の画像データを取得する処理と、センサ、記録媒体上に形成された画像を前記センサを用いて所定方向に順次読み取って画像データを生成する画像データ生成手段、および前記センサと前記画像データ生成手段が読み取る画像の形成された記録媒体との間の相対的な位置関係を前記所定方向を横切る方向に関し変更する変更手段を備える画像データ生成装置が、画像形成装置により前記第１の画像データに従い記録媒体上に形成された画像を前記変更手段による前記変更の前後の各々において前記画像データ生成手段により生成した画像データを含む第２の画像データを取得する処理と、前記第１の画像データが示す画像と前記第２の画像データが示す画像との間で濃度の差が所定値以上である領域を誤りの領域として示す誤領域指定データを生成する処理と、前記第２の画像データのうち前記画像形成装置が前記変更手段による前記変更の前に生成した画像データに関し生成した誤領域指定データが一定の幅で前記所定方向に延伸する第１の帯領域を示し、前記第２の画像データのうち前記画像形成装置が前記変更手段による前記変更の後に生成した画像データに関し生成した誤領域指定データが前記一定の幅で前記所定方向に延伸する第２の帯領域を示し、前記所定方向を横切る方向に関して、前記第１の帯領域と前記第２の帯領域との相対的な位置関係と、前記記録媒体の位置を基準とした場合の前記変更の前における前記センサと前記変更の後における前記センサとの相対的な位置関係とが、方向において一致し、距離において所定値以下の差である場合、前記第１の帯領域および前記第２の帯領域を誤りの領域から除外するように前記誤領域指定データを修正する処理とをコンピュータに実行させるプログラムを提供する。
【００１９】
また、本発明は、第１５の態様として、第１の画像データを取得する取得手段と、センサを有し、画像形成装置により前記第１の画像データに従い記録媒体上に形成された画像を前記センサを用いて所定方向に順次読み取って第２の画像データを生成する画像データ生成手段と、前記第１の画像データが示す画像と前記第２の画像データが示す画像との間で濃度の差が所定値以上である領域を誤りの領域としてを示す誤領域指定データを生成する誤領域指定データ生成手段と、前記センサと、前記画像データ生成手段が読み取る画像の形成された記録媒体との間の相対的な位置関係を、前記所定方向を横切る方向に関し変更する変更手段と、前記第２の画像データのうち前記変更手段による前記変更の前に前記画像データ生成手段により生成された画像データに関し前記誤領域指定データ生成手段により生成された誤領域指定データが一定の幅で前記所定方向に延伸する第１の帯領域を示し、前記第２の画像データのうち前記変更手段による前記変更の後に前記画像データ生成手段により生成された画像データに関し前記誤領域指定データ生成手段により生成された誤領域指定データが前記一定の幅で前記所定方向に延伸する第２の帯領域を示し、前記所定方向を横切る方向に関して、前記第１の帯領域と前記第２の帯領域との相対的な位置関係と、前記記録媒体の位置を基準とした場合の前記変更の前における前記センサと前記変更の後における前記センサとの相対的な位置関係とが、方向において一致し、距離において所定値以下の差である場合、前記第２の画像データのうち前記第１の帯領域および前記第２の帯領域に対応するデータの生成に用いられた前記センサの部分に異常があると判定する判定手段とを備えるデータ処理装置を提供する。
【発明の効果】
【００２０】
上記第１乃至４、６乃至９、および１１乃至１４のいずれかの態様によれば、第１の画像データに従い記録媒体上に形成された画像が正しく形成されたか否かを、当該画像を所定方向に順次読み取ることにより生成された第２の画像データを第１の画像データと比較して検査する場合において、第１の画像データが示す画像と第２の画像データが示す画像との間で濃度に所定値以上の差がある領域から読み取り時の異常により生じた可能性が高い領域を除外する補正を行うため、当該補正を行わない場合と比較し、読み取り時の異常による誤判定を低減することができる。
【００２１】
上記第５、１０または１５の態様によれば、第１の画像データに従い記録媒体上に形成された画像が正しく形成されたか否かを、当該画像を所定方向に順次読み取ることにより生成された第２の画像データを第１の画像データと比較して検査する場合において、第２の画像データが示す画像のうち読み取り時の異常により生成された可能性が高い領域の読み取りに用いられたセンサの部分を異常を生じている部分として特定するため、当該特定を行わない場合と比較し、読み取り時の異常による誤判定を低減することができる。
【発明を実施するための最良の形態】
【００２２】
（１）第１実施形態
以下に、本発明の第１実施形態を説明する。図１は、第１実施形態にかかるシステム１の構成を示した図である。システム１は、ユーザが端末装置として用いるＰＣ（Ｐｅｒｓｏｎａｌ  Ｃｏｍｐｕｔｅｒ）１１と、ＰＣ１１に各々接続された画像形成装置１２および画像読取装置１３（画像データ生成装置）を備えている。画像形成装置１２は、ＰＣ１１から受信する画像データに従い記録媒体上に画像形成を行う。画像読取装置１３は、記録媒体上に形成されている画像を読み取って画像データを生成し、ＰＣ１１に送信する。
【００２３】
なお、画像形成装置１２が画像を形成する記録媒体、また画像読取装置１３が画像を読み取る記録媒体は、紙、フィルム等の面形状の媒体が一般的であるが、それらに限られず、例えば立体形状を備える記録媒体であってもよい。
【００２４】
図２は、ＰＣ１１の構成を示した図である。ＰＣ１１は、プログラムおよび各種データを記憶するＨＤＤ（Ｈａｒｄ  Ｄｉｓｋ  Ｄｒｉｖｅ）１１１と、データを一時的に記憶し作業領域として利用されるＲＡＭ（Ｒａｎｄｏｍ  Ａｃｃｅｓｓ  Ｍｅｍｏｒｙ）１１２と、ＨＤＤ１１１に記憶されているプログラムに従い各種データ処理を行いＰＣ１１の他の構成要素を制御することによりＰＣ１１を様々な装置として機能させるＣＰＵ（Ｃｅｎｔｒａｌ  Ｐｒｏｃｅｓｓｉｎｇ  Ｕｎｉｔ）１１３と、他の装置との間でデータの送受信を行う通信Ｉ／Ｆ（Ｉｎｔｅｒｆａｃｅ）１１４と、ユーザの操作に従い信号を生成しＣＰＵ１１３に出力することによりユーザのデータ入力手段として機能するキーボード１１５と、文字や画像を表示するディスプレイ１１６と、これらの構成要素を相互に接続するバス１１７を備えている。なお、ＰＣ１１の構成は、ＨＤＤ１１１に第１実施形態にかかるアプリケーション（以下、「照合アプリケーション」と呼ぶ）が記憶されている点を除き、従来技術におけるＰＣと同様である。
【００２５】
画像形成装置１２は、ＰＣ１１から送信される画像データに従い記録媒体上に画像形成を行う画像形成装置であれば、熱転写方式、感熱方式、ドットインパクト方式、乾式電子写真方式、インクジェット方式等のいずれの方式を用いた装置であってもよい。
【００２６】
図３は、乾式電子写真方式の画像形成装置１２の構成の概要を例示した図である。画像形成装置１２は、円筒状のドラム基体の表面に感光層が形成された像保持体でありその中心軸を中心として矢印Ａの方向へ回転する感光体１２１と、感光体１２１の表面に接触し感光体１２１の回転に従って回転しつつ感光体１２１の表面を所定の電位に帯電させる帯電ロール１２２と、帯電させられた感光体１２１の表面に光を照射して感光体１２１の表面に静電潜像を形成する露光器１２３と、感光体１２１の表面に形成された静電潜像に現像剤Ｄを供給することにより感光体１２１の表面にトナー像を形成させる現像器１２４と、感光体１２１の表面に形成されたトナー像を静電力等により記録媒体Ｐ上に転写する転写ロール１２５と、記録媒体Ｐ上に転写されたトナー像を加熱溶融等により記録媒体Ｐ上に定着させる定着器１２６と、ＰＣ１１から送信される画像データに従い露光器１２３を制御して帯電ロール１２２上に静電潜像を形成させる等、画像形成装置１２の他の構成部を制御する制御部１２７とを備えている。
【００２７】
画像読取装置１３は、記録媒体上に形成された画像を、所定方向に順次読み取って画像データを生成する画像読取装置であれば、ＣＣＤ（Ｃｈａｒｇｅ  Ｃｏｕｐｌｅｄ  Ｄｅｖｉｃｅｓ）方式、ＣＩＳ（Ｃｏｎｔａｃｔ  Ｉｍａｇｅ  Ｓｅｎｓｏｒ）方式等のいずれの方式を用いた装置であってもよい。また、画像読取装置１３は、光学的に画像を読み取る方式に限れず、例えば記録媒体上で画像を形成しているトナーやインク等に含まれる磁性体を磁気的に検出したり、トナーやインク等に含まれる伝導体を電気的に検出したりするなど、他の方式を用いた装置であってもよい。
【００２８】
図４および図５は、光学的に画像を読み取る方式の画像読取装置１３の構成の概要を例示した図である。なお、図５は、画像読取装置１３を図４に示す矢印Ｖの方向に見た図である。画像読取装置１３は、棒状の蛍光管を備え発光を行う発光器１３１と、発光器１３１に隣接するように列状に配置された複数の集光レンズおよび光センサの組の集まりである受光器１３２と、画像の読み取り処理中に発光器１３１および受光器１３２を基本位置（図４の最右端）から矢印Ｂの方向に移動させた後に基本位置に戻す搬送機構１３３と、画像読取装置１３の他の構成部を制御する制御部１３４と、記録媒体Ｐを画像形成面を図の下方に向けて載せるためのガラス台１３５と、記録媒体Ｐの載せられたガラス台１３５を図の上方から覆うように閉じるカバー（図示略）を備えている。カバーには、カバーが閉じられた際に制御部１３４に信号を出力されるスイッチが設けられている。
【００２９】
ユーザにより記録媒体Ｐがガラス台１３５上に載せられカバーが閉じられると、制御部１３４はカバーに設けられたスイッチからの信号をトリガとして、搬送機構１３３に発光器１３１および受光器１３２を搬送させると同時に発光器１３１を発光させる。発光器１３１から発光された光は記録媒体Ｐ上で反射し、受光器１３２の各レンズで集光され、光センサに受光される。その結果、受光器１３２を構成する複数の光センサからは記録媒体Ｐ上に形成された画像を示す信号が順次、制御部１３４に対し出力される。制御部１３４は受光器１３２から受け取る信号に基づき画像データを生成し、ＰＣ１１に送信する。
【００３０】
なお、画像読取装置１３は発光器１３１および受光器１３２を搬送する方式に限られず、例えば発光器１３１および受光器１３２を固定しておき、記録媒体Ｐを搬送機構により搬送しつつ画像の読み取りを行う方式であってもよい。また、本明細書において、単に「センサ」と呼ぶ場合、発光器１３１および受光器１３２の組合せを意味する。従って、例えば「センサの異常」とは、受光器１３２を構成する光センサの異常に限られず、受光器１３２を構成するレンズの異常や、発光器１３１の異常（例えば蛍光管の一部へのゴミ付着）等も含む。
【００３１】
図６は、ＣＰＵ１１３が照合アプリケーションを実行することにより、ＰＣ１１により実現されるデータ処理装置２１の機能構成を示した図である。なお、図６における矢印はデータの流れの概要を示している。
【００３２】
データ処理装置２１は、ユーザの操作に応じて送信部２１２に画像データの送信命令を出す操作部２１１と、操作部２１１からの送信命令に従い記憶部２１３に記憶されている画像データを読み出し画像形成装置１２に対し送信する送信部２１２と、画像読取装置１３から送信されてくる画像データを受信して記憶部２１３に記憶させる受信部２１４とを備えている。以下、送信部２１２が画像形成装置１２に送信する画像データを第１の画像データと呼び、画像読取装置１３から受信部２１４が受信する画像データを第２の画像データと呼ぶ。
【００３３】
第１の画像データは、ユーザが記録媒体上に形成したいと望む画像を示す画像データであり、予め準備されて記憶部２１３に記憶されている。第２の画像データは、第１の画像データに従い記録媒体上に形成された画像をユーザが画像読取装置１３にセットし、読み取らせることにより生成された画像データである。以下の説明において、画像データは、例として、画像を構成する複数の画素の各々の濃度を２５６階調、すなわち０〜２５５のいずれかの整数である階調値で示す形式とする。なお、階調値は濃度を示す指標の一例であり、濃度そのものではないが、以下の説明においては説明の便宜上、「階調値が示す濃度」を単に「濃度」というものとする。なお、本願における画像データは画素の濃度を２５６階調で示す形式に限られず、画像を示すデータであれば、例えば画像を構成する複数の画素の各々の濃淡を２値で示す形式や、所定の濃度の領域を示すベクトル値の集まりとして画像を示す形式や、それらの形式の画像データに圧縮処理や暗号化処理等を施した形式など、いずれの形式のデータであってもよい。さらに、例えば画像形成装置１２がフォントデータを記憶しているような場合においては、それらのフォントデータの配置および大きさを指定するデータも本発明における画像データに含まれる。
【００３４】
データ処理装置２１は、さらに、記憶部２１３に記憶されている第１の画像データおよび第２の画像データを読み出し、第１の画像データが示す画像と第２の画像データが示す画像との間で所定値以上の濃度差がある領域を誤りの領域として特定し、特定した誤りの領域を示すデータを誤領域指定データとして記憶部２１３に記憶させる生成部２１５を備えている。
【００３５】
生成部２１５の処理は、具体的には以下のとおりである。まず、生成部２１５は第１の画像データが示す画像を構成する複数の画素の各々と第２の画像データが示す画像を構成する複数の画素の各々とを対応付ける。その際、第２の画像データが示す画像は、読み取り対象となった画像の形成時および読み取り時の位置ズレや伸び等により、第１の画像データが示す画像からの変形を伴っている。従って、生成部２１５は、例えば第２の画像データに傾き補正、伸縮補正、位置補正等を施し、当該補正を施した第２の画像データ全体と第１の画像データ全体とを比較し、それらの一致の程度が最も高くなる場合の第２の画像データを特定する。生成部２１５は、そのように特定した補正後の第２の画像データが示す画像に含まれる画素の位置と、第１の画像データが示す画像に含まれる画素の位置とが一致する場合、それらの画素間を対応付ける。
【００３６】
続いて、生成部２１５は、補正後の第２の画像データが示す画像に含まれる画素のうち、当該画素に対応付けた第１の画像データが示す画像に含まれる画素との間に、所定値以上（例えば各画素が２５６階調の濃度で示される場合において１２８階調以上等）の濃度差があるものを誤り画素として特定する。生成部２１５は、補正後の第２の画像データが示す画像を構成する各画素の位置を示す値に、例えば誤り画素については「１」（黒）、誤り画素でない画素については「０」（白）を濃度を示す値として対応付けることにより、誤り画素の領域を示す２値の画像データを生成する。
【００３７】
上記のように生成される２値の画像データは、補正後の第２の画像データが示す画像のいずれの領域が誤りであるかを示すものである。そこで、生成部２１５は、第１の画像データと対応付けを行うために第２の画像データに対し施した傾き補正、伸縮補正、位置補正等の補正と逆方向の補正を上記の２値の画像データに対し施すことにより、受信部２１４が画像読取装置１３から受信した第２の画像データが示す画像のうち誤り画素に対応する領域、すなわち誤りの領域を示す２値の画像データを生成する。このようにして生成される２値の画像データが誤領域指定データである。なお、生成部２１５が誤領域指定データを生成する方法は上述したものに限られず、２つの画像データが各々示す画像を対応付け、それらのうち所定値以上の差異を有する領域を特定する方法であれば、既知のいずれの方法を採用してもよい。
【００３８】
データ処理装置２１は、さらに、生成部２１５により生成された誤領域指定データを修正する修正部２１６を備えている（図６参照）。修正部２１６は、記憶部２１３に記憶されている誤領域指定データを読み出し、誤領域指定データが示す誤りの領域のうち、画像読取装置１３が記録媒体上に形成された画像を読み取る際の読み取り方向（図４および図５の矢印Ｂの方向）に一定の幅で所定の長さ以上、延伸する帯形状を形成する領域をセンサの異常による誤りの領域として特定する。修正部２１６は、そのように特定したセンサの異常による誤りの領域が、誤領域指定データが示す誤りの領域に含まれなくなるように、誤領域指定データを修正する。修正部２１６が上記のような誤領域指定データの修正を行う理由を以下に説明する。
【００３９】
図７は、（ａ）第１の画像データが示す画像、（ｂ）第２の画像データが示す画像データ、すなわち第１の画像データに従い画像形成装置１２により記録媒体上に形成された画像を画像読取装置１３が読み取って生成した画像データが示す画像、（ｃ）第１の画像データおよび第２の画像データに基づき生成部２１５により生成された誤領域指定データが示す画像、のそれぞれ対応する一部分を示している。なお、図７（ｂ）に示す矢印Ｂは、画像読取装置１３において画像の読み取りが行われた方向を示している。図７の例では、本来「−」であるべき画像部分が、第２の画像データにおいて「＋」を示すものになっており、その結果、誤領域指定データにより途中の途切れた縦棒が誤りの領域として黒で示されている。
【００４０】
一般的に、第１の画像データと第２の画像データとの間に不整合が生じる原因は以下の２つのいずれかである。
（ｉ）画像形成装置１２による画像の形成時に異常があり、または画像の形成の前後に記録媒体上に汚れ、破損等が生じ、記録媒体上に形成されている画像がユーザの所望していた画像と異なっている。
（ｉｉ）画像読取装置１３による画像の読み取り時に異常があり、記録媒体上に形成されている画像はユーザの所望していた画像と一致しているが、第２の画像データに誤りが含まれている。
【００４１】
上記（ｉｉ）をもたらす主たる原因の一つは、センサの異常である。例えば、センサの異常としては、（ア）発光器１３１の一部にゴミが付着した場合、（イ）受光器１３２のレンズまたは光センサの一部にゴミが付着した場合、（ウ）受光器１３２の光センサの一部が故障した場合、などがある。
【００４２】
上述したようなセンサの異常があった場合、第２の画像データに、記録媒体上には存在しない、読み取り方向に一定の幅で延伸する帯形状の黒みを帯びた筋を示すデータが含まれることになる。その結果、生成部２１５により生成される誤領域指定データが示す誤りの領域にも、筋状の領域が現れる。この誤りの領域は、センサの異常により生じた領域であって、記録媒体上に正しく画像が形成されていない領域（以下、「画像形成の異常による誤りの領域」と呼ぶ）を示すものではない。従って、修正部２１６は、誤領域指定データが示す誤りの領域からセンサの異常による誤りの領域を除外するように誤領域指定データを修正することにより、誤領域指定データが示す誤りの領域が画像形成の異常による誤りの領域のみを示すものとするのである。
【００４３】
画像形成装置１２による画像の形成時の異常には、筋状の汚れや白ヌケをもたらすものがある。従って、画像形成の異常による誤りの領域が、センサの異常による誤りの領域と類似の帯形状を形成することがある。しかしながら、これらの帯形状は細部において異なっている。
【００４４】
図８（ａ）および（ｂ）は、ともに図７（ｂ）に示される「＋」の縦棒の上端を拡大した図であるが、（ａ）は縦棒が画像の形成時に生じた筋状の汚れにより生じた場合を示し、（ｂ）は縦棒がセンサの異常により生じた場合を示している。画像の形成時に生じた汚れによる縦棒の場合、仮にその汚れが肉眼では読み取り方向に平行な筋に見えたとしても、画像形成装置１２における記録媒体の搬送時や、画像読取装置１３に記録媒体がセットされる際に、必ず微少であっても傾きが生じる。また、画像形成時には実用的には何ら問題のない微少な歪み等を伴うことも多い。そのため、図８（ａ）に示すように、画像の形成時に生じた汚れによる縦棒の側面は読み取り方向と平行となる部分の長さが短く、従ってその幅が一定である部分の長さも短い。一方、センサの異常により生じた縦棒の側面は読み取り方向と常に平行となり、従って縦棒の幅も常に一定となる。
【００４５】
図７（ｂ）に示す第２の画像データが示す画像における縦棒の形状の差異は、そのまま、図７（ｃ）に示す誤りの領域の形状に反映される。すなわち、途中の途切れた縦棒を示す誤りの領域の形状は、画像の形成時に生じた筋状の汚れにより生じた場合は側面が読み取り方向と平行となる部分の長さが短く、その幅が一定である部分の長さも短いが、センサの異常により生じた場合は側面が常に読み取り方向と平行となり、その幅も常に一定となる。
【００４６】
以上説明した理由により、修正部２１６は、生成部２１５により生成された誤領域指定データが示す誤りの領域のうち、一定の幅で画像読取装置１３による読み取り方向に所定の長さ以上、延伸する帯形状を形成する領域を、センサの異常による誤りの領域として特定する。
【００４７】
修正部２１６がセンサの異常による誤りの領域を特定する際に用いる帯形状の長さの閾値は、画像形成装置１２の画像形成の解像度、画像読取装置１３の画像読み取りの解像度、画像形成装置１２の画像形成や記録媒体搬送の精度等に応じて適当な長さが定められる。例えば、画像形成装置１２および画像読取装置１３の解像度がいずれの方向にも４８００ｄｐｉ（ｄｏｔ  ｐｅｒ  ｉｎｃｈ）で同一であり、画像形成時および画像読み取り時に生じる傾きが０．１％であるとすると、画像形成の異常による誤りの領域の側面は、読み取り方向に１０００画素移動すれば、少なくとも読み取り方向に直交する方向に１画素ずれることになる。従って、修正部２１６がセンサの異常による誤りの領域を特定する際に用いる帯形状の長さの閾値としては、２５．４ｍｍ（＝１インチ）÷４８００×１０００≒５．２９ｍｍを採用すればよい。実際には、傾きの他、肉眼では確認できないような記録媒体の歪みやトナー飛散等の要因により、画像形成の異常による誤りの領域の側面は、頻繁に凹凸することになる。従って、それらの要因を考慮し、修正部２１６がセンサの異常による誤りの領域を特定する際に用いる帯形状の長さの閾値を、５．２９ｍｍよりさらに短くしてもよい。
【００４８】
修正部２１６は、上記のように修正した誤領域指定データを記憶部２１３に記憶させる。
修正部２１６は、さらに、センサの異常による誤りの領域を特定した場合、特定した領域の読み取り方向と直交する方向における位置を示す位置データを生成し、記憶部２１３に記憶させる。例えば図７（ｃ）に示される途中が途切れた縦棒が、誤領域指定データにより示される画像の左端から数えて２８０２４番目〜２８０５０番目の画素に対応する場合、修正部２１６が生成する位置データは、例えば「２８０２４〜２８０５０」となる。なお、この位置データの形式は例示であって他の形式であってもよい。位置データは、画像読取装置１３の発光器１３１もしくは受光器１３２のいずれの部分に異常があるかを示すデータを意味する。従って、位置データは、例えば画像読取装置１３の保守要員がセンサの異常解消の措置をとる際の参考となる。
【００４９】
データ処理装置２１は、さらに、誤領域指定データが示す誤りの領域の面積を算出し、算出した面積が所定値以上であるか否かを判定する判定部２１７を備えている（図６参照）。判定部２１７は、修正部２１６により必要に応じて修正の施された誤領域指定データを記憶部２１３から読み出し、例えば誤領域指定データが示す誤り画素の数を誤りの領域の面積を示す数値として用いる。判定部２１７は、誤りの領域の面積が許容誤差を示す所定値以上であると判定した場合、通知命令を通知部２１８に対し出す。
【００５０】
通知部２１８は、判定部２１７から通知命令を受け取ると、記録媒体上に形成されている画像が正しくない旨を示すエラー通知を行う。通知部２１８が行うエラー通知の方法は、例えばディスプレイ１１６に文字または画像を表示させる方法、通信Ｉ／Ｆ１１４に接続されたスピーカから警告音を発音させる方法など、いずれの方法であってもよい。
【００５１】
ユーザが上述した構成を備えるシステム１を用いる手順は以下のとおりである。まず、ユーザはＰＣ１１において照合アプリケーションを実行させデータ処理装置２１として機能させた上で、画像形成を行いたい画像データを指定する。その操作に応じて、画像形成装置１２により記録媒体上に画像の形成が行われる。ユーザは、画像形成装置１２により画像の形成された記録媒体を画像読取装置１３のガラス台１３５に載せ、カバーを閉じる。ユーザがカバーを閉じると、画像読取装置１３により記録媒体上の画像の読み取りが行われる。画像形成装置１２による画像形成が正しく行われなかった場合、ユーザはＰＣ１１からその旨を知らせるエラー通知を受ける。その際、画像読取装置１３のセンサにゴミが付着している等の理由により、誤ってエラー通知を受けることはない。
【００５２】
データ処理装置２１をさらに以下のように動作させるように構成してもよい。
修正部２１６により誤領域指定データの修正が行われた場合、修正部２１６は通知部２１８に対し通知命令を出す。通知部２１８は修正部２１６から通知命令を受け取ると、ユーザに対しセンサの異常が発生した旨を示すエラー通知を行う。ユーザは、センサの異常が発生した旨のエラー通知を受けると、画像読取装置１３の保守要員に連絡を取る、画像読取装置１３のセンサ部を清掃する等の措置を講じることができる。
【００５３】
記憶部２１３に記憶されている位置データは、画像読取装置１３が備えるセンサの異常部分を示す。例えば、ゴミ付着によりセンサの一部に異常が生じている場合、多くの場合、ゴミは付着し続ける。また、光センサの一部が故障しているような場合、それらの故障が自然に回復することはほとんどない。従って、第２の画像データのうち、位置データにより示されるセンサの部分により生成されるデータはセンサの異常が解消しない限り、常に誤りを含むことになる。従って、そのような第２の画像データに基づき生成される誤領域指定データが示す誤りの領域のうち位置データにより示される位置の領域は、誤りの領域の形状による判定を行うまでもなく、センサの異常による誤りの領域とみなしてよい。
【００５４】
上記の理由により、記憶部２１３に位置データが記憶されている場合、生成部２１５は誤領域指定データを生成する際に、第１の画像データと第２の画像データの比較の対象から位置データにより示される位置の領域を除外し、その領域を誤りの領域に含まないように、誤領域指定データを生成する。ユーザは、例えば画像読取装置１３のセンサ部を清掃する等の措置を講じた後、データ処理装置２１に対し所定の操作を行って記憶部２１３から位置データを削除させることにより、生成部２１５の動作を通常のものに戻すことができる。
【００５５】
（２）第２実施形態
続いて、本発明の第２実施形態を説明する。ただし、第２実施形態は、第１実施形態とその構成、動作において多くの点で共通しているので、以下には、第２実施形態が第１実施形態と異なる点のみ説明し、他は省略する。
【００５６】
第２実施形態にかかるシステム２は、システム１と同様に、ＰＣ１１と、ＰＣ１１に接続された画像形成装置１２を備えている。また、システム２はシステム１が備える画像読取装置１３に代えて、ＰＣ１１に接続された画像読取装置２３を備えている。
【００５７】
図９は、画像読取装置２３の構成の概要を例示した図である。なお、図９は、システム１の画像読取装置１３に関する図５に対応する。画像読取装置２３は、画像読取装置１３が備える全ての構成部に加え、発光器１３１および受光器１３２とそれぞれ同様の構成を有する発光器２３１および受光器２３２を備えている。以下、発光器１３１と受光器１３２の組を「第１のセンサ」と呼び、発光器２３１と受光器２３２の組を「第２のセンサ」と呼ぶ。第２のセンサは第１のセンサと並列するように隣接して配置され、搬送機構１３３により第１のセンサと共に搬送されつつ、ガラス台１３５上に載せられた記録媒体Ｐ上の画像の読み取りを行う。
【００５８】
制御部１３４は第１のセンサから受け取った信号を用いて第２の画像データを生成するとともに、第２のセンサから受け取った信号を用いて画像データ（以下、「第３の画像データ」と呼ぶ）を生成する。制御部１３４は第２の画像データおよび第３の画像データを生成すると、それらをＰＣ１１に送信する。
【００５９】
制御部１３４により生成される第２の画像データと第３の画像データとは、同じ画像を読み取って生成された画像データである。従って、第１のセンサと第２のセンサが有する個体差等による差異を除けば、第２の画像データと第３の画像データとは本来、同内容の画像を示すべきものである。しかしながら、いずれかのセンサにゴミの付着等の異常が生じた場合、第２の画像データと第３の画像データはその異常の影響を受けて、異なる画像を示すものとなる。
【００６０】
図１０は、第１のセンサの一部にゴミが付着した状態で、画像読取装置２３により画像の読み取りが行われた際に生成される（ａ）第３の画像データと（ｂ）第２の画像データを示す図である。図１０の矢印Ｂは読み取り方向を示している。図１０（ａ）に示される画像は、ゴミ付着等の異常がない第２のセンサにより読み取られ生成された第３の画像データが示す画像であり、読み取りに用いられた記録媒体上に形成された画像を正しく示している。図１０（ａ）に示される画像のうち、文字部分は画像形成に用いられた第１の画像データにより示されていた部分であり、筋Ｘは、画像形成時に生じた汚れである。
【００６１】
図１０（ｂ）に示される画像は、ゴミが付着した第１のセンサにより読み取られ生成された第２の画像データが示す画像であり、読み取りに用いられた記録媒体上に形成された画像に加え、ゴミ付着により生じた筋Ｙを含んでいる。
【００６２】
ＰＣ１１は、図１０に示されるような画像を示す第３の画像データおよび第２の画像データを画像読取装置２３から受信すると、それらの画像データを用いて生成される誤領域指定データから、筋Ｙにより生じる領域をセンサの異常による誤りの領域として、誤領域指定データが示す誤りの領域から除外するように補正する。
【００６３】
図１１は、ＣＰＵ１１３が第２実施形態にかかる照合アプリケーションを実行することにより、ＰＣ１１により実現されるデータ処理装置３１の機能構成を示した図である。データ処理装置３１は、第１実施形態にかかるデータ処理装置２１と比較し、記憶部２１３に記憶されるデータと、生成部２１５および修正部２１６の処理が異なっている。
【００６４】
データ処理装置３１の受信部２１４は、画像読取装置２３から、第２の画像データおよび第３の画像データを受信し、記憶部２１３に記憶させる。生成部２１５は、第１の画像データと第２の画像データとに基づき誤領域指定データを生成するとともに、第１の画像データと第３の画像データとに基づき誤領域指定データを生成する。以下、第１の画像データと第２の画像データとに基づき生成された誤領域指定データを「第１の誤領域指定データ」と呼び、第１の画像データと第３の画像データとに基づき生成された誤領域指定データを「第２の誤領域指定データ」と呼ぶ。
【００６５】
生成部２１５が第２の誤領域指定データを生成する処理は、第２の画像データの代わりに第３の画像データを用いる点を除き、第１の誤領域指定データを生成する処理と同様である。生成部２１５は、第１の誤領域指定データおよび第２の誤領域指定データを生成すると、それらを記憶部２１３に記憶させる。
【００６６】
図１０に示した画像を示す第２の画像データおよび第３の画像データが画像読取装置２３から送信された場合、第１の誤領域指定データが示す画像は図１０（ｂ）の筋Ｘおよび筋Ｙを示すものとなり、第２の誤領域指定データが示す画像は図１０（ａ）の筋Ｘのみを示すものとなる。修正部２１６は、第１の誤領域指定データと第２の誤領域指定データとを比較し、第１の誤領域指定データにより誤りの領域とされる部分（筋Ｘおよび筋Ｙ）のうち、第２の誤領域指定データにより誤りの領域とされていない部分（筋Ｙ）を、センサの異常による誤りの領域として特定し、特定した領域を誤りの領域から除外するように、第１の誤領域指定データを修正する。
【００６７】
上述した修正部２１６による第１の誤領域指定データの修正は、第１の誤領域指定データの内容と第２の誤領域指定データの内容とに不整合が生じた場合、すなわち一方の誤領域指定データが誤りの領域とし、他方の誤領域指定データが誤りの領域ではないとする領域がある場合、その領域を誤りの領域ではないとする方のデータを採用することを意味する。誤領域指定データは第１の画像データと第２の画像データもしくは第３の画像データとの照合により生成されたデータであるので、誤りの領域ではない、とするデータは誤りの領域である、とするデータよりも一般的に信頼性が高い、と考えられるためである。
【００６８】
上記のように修正部２１６による修正の施された第１の誤領域指定データは、筋Ｘのみを誤りの領域として示すデータとなる。判定部２１７は、必要に応じて修正部２１６による修正の施された第１の誤領域指定データに基づき判定を行い、その判定結果に基づき通知命令を通知部２１８に出す。通知部２１８が通知命令に従いエラー通知を行う点は、データ処理装置２１における場合と同様である。
【００６９】
修正部２１６は、第１の誤領域指定データに修正を加えた領域、すなわちセンサの異常による誤りの領域と、読み取り方向（図１０の矢印Ｂの方向）に対して直交する方向の位置を示す位置データを生成し、記憶部２１３に記憶させる。位置データは、第１のセンサの異常が発生している部分を示すデータである。従って、生成部２１５は第１の誤領域指定データを生成する際に、第１の画像データと第２の画像データの比較の対象から位置データにより示される位置の領域を除外し、その領域を誤りの領域に含まないように、第１の誤領域指定データを生成するようにしてもよい。
【００７０】
上述したように、システム２においては修正部２１６による誤領域指定データの修正の基準がシステム１におけるものと異なっている。システム２における誤領域指定データの修正の基準に、システム１における誤領域指定データの修正の基準を組み合わせる構成としてもよい。
【００７１】
２つの修正基準を組み合わせて用いる構成のシステム２においては、修正部２１６が第１の誤領域指定データを修正する際、以下の両方の条件を満たす領域のみをセンサの異常による誤りの領域として特定する。
（ｉ）一定の幅で画像読取装置２３による読み取り方向に所定の長さ以上、延伸する帯形状を形成する。
（ｉｉ）第２の誤領域指定データが示す誤りの領域に含まれない。
【００７２】
上記のように２つの条件を組み合わせた場合、例えば画像形成時および画像読み取り時の画像の傾きが極めて小さく、（ｉ）の条件のみでは画像形成の異常による誤りの領域をセンサの異常による誤りの領域と誤認する可能性がある場合であっても、（ｉｉ）の条件によりその誤認が回避されたり、例えば第１のセンサもしくは第２のセンサの個体差により判定の差異が生じた場合のように、（ｉｉ）の条件のみでは画像形成の異常による誤りの領域をセンサの異常による誤りの領域と誤認する可能性がある場合であっても、（ｉ）の条件によりその誤認が回避される。
【００７３】
（３）第３実施形態
続いて、本発明の第３実施形態を説明する。ただし、第３実施形態は、第１実施形態とその構成、動作において多くの点で共通しているので、以下には、第３実施形態が第１実施形態と異なる点のみ説明し、他は省略する。
【００７４】
第３実施形態にかかるシステム３は、システム１と同様に、ＰＣ１１と、ＰＣ１１に接続された画像形成装置１２を備えている。また、システム３はシステム１が備える画像読取装置１３に代えて、ＰＣ１１に接続された画像読取装置３３を備えている。
【００７５】
図１２は、画像読取装置３３の構成の概要を例示した図である。なお、図１２は、システム１の画像読取装置１３に関する図５に対応する。画像読取装置３３は、画像読取装置１３が備える発光器１３１および受光器１３２に代えて、発光器３３１および受光器３３２（以下、これらを単に「センサ」と呼ぶ）を備えている。発光器３３１および受光器３３２の構成および動作は発光器１３１および受光器１３２のものと同様であるが、発光器３３１および受光器３３２の長さは、記録媒体Ｐの幅（読み取り方向に直交する方向の長さ）よりも長い。
【００７６】
また、画像読取装置３３は、画像読取装置１３が備える搬送機構１３３に代えて、搬送機構３３３を備えている。搬送機構３３３は、画像読み取りの行われる間、センサを読み取り方向（図１２の矢印Ｂの方向）に搬送する機能に加え、センサを読み取り方向に直交する方向（例えば、図１２の矢印Ｃの方向）に移動させる機能を有している。そのため、搬送機構３３３は、例えばモータ（図示略）により駆動され図１２の矢印Ｅの方向に回転してセンサを図１２の矢印Ｃの方向に移動させる歯車３３３１と、センサを支持する３つのローラ３３３２を有している。
【００７７】
なお、搬送機構３３３がセンサを矢印Ｃの方向に移動させる機構は図１２に例示のものに限られず、例えばセンサの片端を中心点とし弧を描くようにセンサを移動させる機構を採用してもよい。また、センサを矢印Ｃの方向に移動させる代わりに、記録媒体を載せるガラス台１３５を矢印Ｃと逆の方向に移動させる機構を採用してもよい。すなわち、読み取り方向に直交する方向に関し、センサと、センサにより画像の読み取りが行われる記録媒体との相対的な位置を変更する機構であれば、いずれのものであってもよい。
【００７８】
画像読取装置３３により画像の読み取りが行われる場合、センサは基準位置から読み取りを行いながら、図１２の矢印Ｂの方向に所定距離移動した後、いったん停止する。その後、センサは、例えば図１２の矢印Ｃの方向に１０００画素分の距離だけ移動する。その間、画像の読み取りは行われない。その後、センサは再び読み取りを開始し、図１２の矢印Ｂの方向に移動する。
【００７９】
画像読取装置３３の制御部１３４は、センサがいったん停止し、矢印Ｃの方向に移動した後、再度の読み取りを開始する前に、受光器３３２を構成する複数の光センサのうち、画像データの生成に用いるものを切り替える。例えば、受光器３３２に３１０００個の光センサが設けられており、センサが矢印Ｃの方向へ移動する前において、制御部１３４は図１２の下側から１番目〜３００００番目の光センサから出力される信号を用いて画像データの生成を行うものとする。その場合、制御部１３４はセンサが矢印Ｃの方向へ１０００画素分だけ移動した後においては、１００１番目〜３１０００番目の光センサから出力される信号を用いて画像データの生成を行う。
【００８０】
図１３は、センサの一部にゴミが付着した状態で、画像読取装置３３により画像の読み取りが行われた際に生成される画像データ（第２の画像データ）を示す図である。図１３の矢印Ｂは読み取り方向、矢印Ｃはセンサがいったん停止した間に移動した方向を示している。図１３に示される画像のうち、文字部分は画像形成に用いられた第１の画像データにより示されていた部分であり、筋Ｘは画像形成時に生じた汚れであり、筋Ｙ１および筋Ｙ２はセンサに付着したゴミにより生じたものである。図１３に示すように、記録媒体上の汚れ等はセンサの矢印Ｃ方向への移動に追随することはないが、センサの異常による筋はセンサの矢印Ｃ方向への移動に追随して、筋Ｙ１から筋Ｙ２へと、矢印Ｃ方向に関する位置が変化している。
【００８１】
ＰＣ１１は、図１３に示されるような画像を示す第２の画像データを画像読取装置３３から受信すると、第１の画像データと第２の画像データを用いて生成される誤領域指定データから、筋Ｙ１および筋Ｙ２により生じる領域をセンサの異常による誤りの領域として、誤領域指定データが示す誤りの領域から除外するように補正する。
【００８２】
ＣＰＵ１１３が第３実施形態にかかる照合アプリケーションを実行することにより、ＰＣ１１により実現されるデータ処理装置４１の構成は、図６に示した第１実施形態にかかるデータ処理装置と同様である。データ処理装置４１は、第１実施形態にかかるデータ処理装置２１と比較し、修正部２１６の処理が異なっている。
【００８３】
図１３に示した画像を示す第２の画像データが画像読取装置３３から送信された場合、誤領域指定データが示す画像は図１３の筋Ｘ、筋Ｙ１および筋Ｙ２を示すものとなる。修正部２１６は、まず第１実施形態における場合と同様に、以下の条件を満たす領域をセンサの異常による誤りの領域として特定する。
（ｉ）一定の幅で画像読取装置３３による読み取り方向に所定の長さ以上、延伸する帯形状を形成する。
【００８４】
上記の条件により、誤領域指定データが示す画像のうち、筋Ｙ１および筋Ｙ２がセンサの異常による誤りの領域として特定される。続いて、修正部２１６は、そのように特定した領域がさらに以下の条件を満たすか否かを判定し、満たす場合にのみ、その領域を最終的にセンサの異常による誤りの領域として確定する。
（ｉｉ）Ｃ方向に関し、センサのＣ方向への移動前に読み取られた領域におけるセンサの異常による誤りの領域（筋Ｙ１）を始点とし、センサのＣ方向への移動後に読み取られた領域におけるセンサの異常による誤りの領域（筋Ｙ２）のＣ方向に関する位置を終点とするベクトルが、センサのＣ方向への移動を示すベクトルと、その方向において一致し、長さの差の絶対値が誤差を示す所定の閾値以下である。
【００８５】
筋Ｙ１および筋Ｙ２は上記（ｉｉ）の条件を満たすので、修正部２１６は筋Ｙ１および筋Ｙ２を最終的にセンサの異常による誤りの領域として確定し、それらの領域を誤りの領域から除外するように誤領域指定データを修正する。
【００８６】
上記のように、（ｉ）の条件に（ｉｉ）の条件を加えた場合、例えば画像形成時および画像読み取り時の画像の傾きが極めて小さく、（ｉ）の条件のみでは画像形成の異常による誤りの領域をセンサの異常による誤りの領域と誤認する可能性がある場合であっても、（ｉｉ）の条件によりその誤認が回避される。
【００８７】
上記の説明において、画像読取装置３３は１枚の記録媒体上の画像の読み取りの途中においてセンサの矢印Ｃ方向の位置を移動するものとして説明したが、これに限られない。例えば、記録媒体単位でセンサの矢印Ｃ方向の位置を移動し、１枚目の画像に関する誤領域指定データと２枚目の画像に関する誤領域指定データの各々が示す誤り領域のうち、上記（ｉ）の条件を満たす領域をセンサの異常による誤りの領域として特定し、１枚目の画像に関する誤領域指定データにおいてセンサの異常による誤りの領域として特定した領域と、２枚目の画像に関する誤領域指定データにおいてセンサの異常による誤りの領域として特定した領域との間で、上記（ｉｉ）の条件が満たされる場合、それらの領域を最終的にセンサの異常による誤りの領域として確定するようにしてもよい。
【００８８】
（４）変形例
上述した実施形態は、本発明の技術的思想の範囲内において様々に変形可能である。以下にそのような変形例を示す。
上述した実施形態において、データ処理装置として機能するＰＣに画像形成装置および画像読取装置を接続し、生成部２１５、修正部２１６、判定部２１７、通知部２１８等はデータ処理装置が備えるものとして説明した。本発明にかかるシステムを構成する構成部の配置はこれに限られない。例えば、画像読取装置が画像形成装置から第１の画像データを受信するようにし、画像読取装置に生成部２１５、修正部２１６、判定部２１７、通知部２１８を備えさせてもよい。また、データ処理装置の処理を、誤領域指定データの生成までの処理を行う第１のデータ処理装置と、第１のデータ処理装置から誤領域指定データを受信し誤領域指定データの修正以降の処理を行う第２のデータ処理装置とに分担させて行う構成としてもよい。
【００８９】
図１４は、本発明にかかるシステムを、生成部２１５、修正部２１６、判定部２１７、通知部２１８等を画像の形成および読み取りを行う複合装置が備えるように構成した場合の例を示した図である。このシステムにおいては、ＰＣ５１に複合装置５２が接続されている。ＰＣ５１は、ユーザが画像形成を希望する画像の画像データを指定し、複合装置５２に対し画像形成を指示するために用いられる端末装置である。ＰＣ５１はユーザの操作に従い、予め準備され記憶しておいた画像データを複合装置５２に送信する。
【００９０】
複合装置５２は、複合装置５２の各構成部を制御する制御部５２１と、画像形成を行う画像形成部５２２と、画像の読み取りを行う画像読取部５２３（画像データ生成手段）と、画像読取部５２３により画像の読み取りが完了した後の記録媒体が排出される排出トレイ群５２４を備えている。
【００９１】
制御部５２１は画像形成部５２２を制御して、ＰＣ５１から受信した画像データに従った画像形成を行わせる。画像形成部５２２により画像の形成された記録媒体は搬送路Ｆを経由して画像読取部５２３へと搬送される。画像読取部５２３は、搬送ローラ等により記録媒体を搬送しつつ、位置の固定されたセンサにより画像の読み取りを行う。画像読取部５２３は読み取った画像を示す画像データを制御部５２１に送信する。
【００９２】
制御部５２１は、画像形成部５２２に送信した画像データと、画像読取部５２３から受信した画像データに基づき、例えばデータ処理装置２１の生成部２１５、修正部２１６、判定部２１７および通知部２１８の行うものと同様の処理を行い、画像形成部５２２により正しく画像が形成されているか否かの判定を行い、その判定結果をユーザに通知する。
【００９３】
制御部５２１は、画像形成部５２２により正しく画像が形成されていると判定した場合、画像読取部５２３の記録媒体の排出部に設けられたガイドを上方に移動させて、正しく画像の形成された記録媒体を排出トレイ群５２４の上段に排出させる。一方、制御部５２１は、画像形成部５２２により正しく画像が形成されていないと判定した場合、画像読取部５２３の記録媒体の排出部に設けられたガイドを下方に移動させて、正しく画像の形成されていない記録媒体を排出トレイ群５２４の下段に排出させた後、再度、同じ画像データを画像形成部５２２に送信することにより、画像の形成のやり直しを行わせる。
【００９４】
さらに、制御部５２１は、画像読取部５２３のセンサの異常箇所を示す位置データを生成し記憶した場合には、通信Ｉ／Ｆを介してインターネットに接続する等により、複合装置５２の保守要員に連絡を行うとともに、その後、所定枚数、例えば１００枚の画像形成が行われる毎に、画像形成処理をいったん停止し、ユーザに形成された画像の確認を促す。位置データが示すセンサ部分は照合に用いられておらず、照合の精度がそれだけ低下しているためである。
【００９５】
なお、上述した実施形態における照合アプリケーションをＣＤ−ＲＯＭ等の記録媒体に格納して提供したり、通信手段を介して信号として送信することにより提供したりしてもよい。また、上述した実施形態においてＰＣに照合アプリケーションを実行させることにより実現したデータ処理装置の各機能を、ハードウェアにより実現してもよい。
【図面の簡単な説明】
【００９６】
【図１】実施形態にかかるシステム全体の構成を示した図である。
【図２】実施形態にかかるＰＣの構成を示した図である。
【図３】実施形態にかかる画像形成装置の構成を示した図である。
【図４】第１実施形態にかかる画像読取装置の構成を示した図である。
【図５】第１実施形態にかかる画像読取装置の構成を示した図である。
【図６】第１および第３実施形態にかかるデータ処理装置の構成を示した図である。
【図７】第１実施形態にかかる画像データおよび誤領域指定データが示す画像を示した図である。
【図８】第１実施形態にかかる画像データが示す画像を示した図である。
【図９】第２実施形態にかかる画像読取装置の構成を示した図である。
【図１０】第２実施形態にかかる画像データが示す画像を示した図である。
【図１１】第２実施形態にかかるデータ処理装置の構成を示した図である。
【図１２】第３実施形態にかかる画像読取装置の構成を示した図である。
【図１３】第３実施形態にかかる画像データが示す画像を示した図である。
【図１４】変形例にかかるシステム全体の構成を示した図である。
【符号の説明】
【００９７】
１２…画像形成装置、１３…画像読取装置、２１…データ処理装置、２３…画像読取装置、３１…データ処理装置、３３…画像読取装置、４１…データ処理装置、５１…ＰＣ、５２…複合装置、１１１…ＨＤＤ、１１２…ＲＡＭ、１１３…ＣＰＵ、１１４…通信Ｉ／Ｆ、１１５…キーボード、１１６…ディスプレイ、１１７…バス、１２１…感光体、１２２…帯電ロール、１２３…露光器、１２４…現像器、１２５…転写ロール、１２６…定着器、１２７…制御部、１３１…発光器、１３２…受光器、１３３…搬送機構、１３４…制御部、１３５…ガラス台、２１１…操作部、２１２…送信部、２１３…記憶部、２１４…受信部、２１５…生成部、２１６…修正部、２１７…判定部、２１８…通知部、２３１…発光器、２３２…受光器、３３１…発光器、３３２…受光器、３３３…搬送機構、５２１…制御部、５２２…画像形成部、５２３…画像読取部、５２４…排出トレイ群。
【図１】
2009081665.tif 000003
【図２】
2009081665.tif 000004
【図３】
2009081665.tif 000005
【図４】
2009081665.tif 000006
【図５】
2009081665.tif 000007
【図６】
2009081665.tif 000008
【図７】
2009081665.tif 000009
【図８】
2009081665.tif 000010
【図９】
2009081665.tif 000011
【図１０】
2009081665.tif 000012
【図１１】
2009081665.tif 000013
【図１２】
2009081665.tif 000014
【図１３】
2009081665.tif 000015
【図１４】
2009081665.tif 000016